(57)【要約】【課題】ユーザーが使いやすく、袋本体が占めるスペースよりも大きなスペースを必要とせず、さらには、製造工程数の増加及び製造コストの上昇を回避することを可能にする自立袋を提供する。【解決手段】本考案に係る自立袋（１００）は、前面（１０１）と背面とを有し、前面には剥離紙でシールされた両面テープ（１０５）が貼られており、両面テープは、両面テープを介して前面の一部同士を相互に貼り付けることにより自立袋（１００）を自立可能とする底面部（１０６）を形成する位置に貼られている。【選択図】図１
0003119780.tif 000002
【実用新案登録請求の範囲】
【請求項１】
前面と背面とを有する自立袋であって、
前記前面及び前記背面の少なくとも何れか一方には剥離紙でシールされた両面テープが貼られており、
前記両面テープは、前記両面テープを介して前記前面の一部同士及び前記背面の一部同士の少なくとも何れか一方を相互に貼り付けることにより前記自立袋を自立可能とする底面部を形成する位置に貼られている自立袋。
【請求項２】
前面と、背面と、前記前面と前記背面とを接続する一対の側面とを有する自立袋であって、
前記側面の長さ方向におけるほぼ中央及び端部の少なくとも何れか一方には剥離紙でシールされた両面テープが貼られており、
前記両面テープは、前記両面テープを介して前記側面の端部を前記側面のほぼ中央に貼り付けることにより前記自立袋を自立可能とする底面部を形成する位置に貼られている自立袋。
【請求項３】
前記両面テープを介して貼り付ける箇所は複数個であることを特徴とする請求項１又は２に記載の自立袋。
【考案の詳細な説明】
【技術分野】
【０００１】
本考案は自ら立ち続けることができる自立袋に関する。
【背景技術】
【０００２】
従来の自立袋の一例として実開昭６３−１３１９３７号公報に記載されたものがある。
【０００３】
この自立袋には、底部の封止線の延長方向において、折線を介して自立用脚部が設けられており、この自立用脚部により、自立可能となっている。
【考案の開示】
【考案が解決しようとする課題】
【０００４】
しかしながら、上記の従来の自立袋における自立用脚部は袋本体から外側に突出したものであるため、袋の使用時においては、ユーザーの邪魔になることが多く、また、店頭に並べる際にも並べにくく、さらには、外側に突出する自立用脚部の分だけ余計なスペースを必要とするため、輸送効率を低下させる一因となっていた。
【０００５】
また、自立用脚部は袋本体に対して追加して設けるものであるため、製造工程数の増加及び製造コストの上昇は不可避であった。
【０００６】
本考案はこのような従来の自立袋における問題点に鑑みてなされたものであり、ユーザーが使いやすく、袋本体が占めるスペースよりも大きなスペースを必要とせず、さらには、製造工程数の増加及び製造コストの上昇を回避することを可能にする自立袋を提供することを目的とする。
【課題を解決するための手段】
【０００７】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【０００８】
本考案は、前面（１０１）と背面とを有する自立袋（１００、２００、３００）であって、前記前面（１０１）及び前記背面の少なくとも何れか一方には剥離紙でシールされた両面テープ（１０５）が貼られており、前記両面テープ（１０５）は、前記両面テープ（１０５）を介して前記前面（１０１）の一部同士及び前記背面の一部同士の少なくとも何れか一方を相互に貼り付けることにより前記自立袋（１００、２００、３００）を自立可能とする底面部（１０６、２０６、３０６）を形成する位置に貼られている自立袋を提供する。
【０００９】
また、本考案は、前面（１０１）と、背面と、前記前面（１０１）と前記背面とを接続する一対の側面（４０１）とを有する自立袋（４００）であって、前記側面（４０１）の長さ方向におけるほぼ中央及び端部の少なくとも何れか一方には剥離紙でシールされた両面テープ（１０５）が貼られており、前記両面テープ（１０５）は、前記両面テープ（１０５）を介して前記側面（４０１）の端部（４０１ａ）を前記側面（４０１）のほぼ中央に貼り付けることにより前記自立袋（４００）を自立可能とする底面部（４０６）を形成する位置に貼られている自立袋（４００）を提供する。
【００１０】
前記両面テープ（１０５）を介して貼り付ける箇所は１個に限定されるものではなく、複数個であってもよい。
【考案の効果】
【００１１】
本考案に係る自立袋によれば、前面の一部同士または背面の一部同士を両面テープを介して相互に貼り付けることにより、あるいは、両面テープを介して側面の端部を側面のほぼ中央に貼り付けることにより、自立袋には、ある程度の面積を有する底面部が形成される。この底面部を下にして自立袋をテーブルその他の面の上に置くことにより、自立袋は自立する。
【００１２】
この後、自立袋を任意の箇所において破断させることにより、自立袋に収納されている食品を取り出すことができる。
【００１３】
ユーザーが片手しか使えないような場合であっても、本考案に係る自立袋を立たせておいて、ユーザーは片手で自立袋の中の食品を取り出すことが可能である。例えば、ユーザーが車を運転しているときには、ダッシュボードの上に本考案に係る自立袋を自立させることにより、ユーザーは車を運転しながら、自立袋の中の食品を片手で取って食べることができる。
【考案を実施するための最良の形態】
【００１４】
（第一の実施形態）
図１は本考案の第一の実施形態に係る自立袋１００の平面図である。
【００１５】
図１に示すように、本実施形態に係る自立袋１００は前面１０１と背面（前面１０１と重なり合っているため、図１には表れない）とを有している。
【００１６】
本実施形態に係る自立袋１００はプラスチック製の一枚のフィルムから形成されており、このフィルムを折れ線１０４ａ及び１０４ｂに沿って折り曲げ、左右両端の圧着領域１０２において、相互に圧着させ、さらに、背面において、フィルムの両端１０３を相互に圧着することにより、自立袋１００を密封している。自立袋１００の中には、菓子その他の食品が入れられている。
【００１７】
本実施形態に係る自立袋１００の前面１０１には両面テープ１０５が取り付けられている。両面テープ１０５には剥離紙が貼り付けられており、この剥離紙を剥がすと、両面テープ１０５の粘着面が現われる。
【００１８】
両面テープ１０５は、本実施形態に係る自立袋１００の長さ方向Ａの中央であって、自立袋１００の幅方向Ｂの中央よりも下方に取り付けられている。
【００１９】
図２は本考案の第一の実施形態に係る自立袋１００の使用状態を示す平面図である。
【００２０】
使用時には、まず、両面テープ１０５上の剥離紙を剥がし、両面テープ１０５の粘着面を露出させる。
【００２１】
次いで、自立袋１００の折れ線１０４ｂの部分を引き上げ、両面テープ１０５の粘着面に貼り付ける。図２はこの状態を示している。
【００２２】
このように、折れ線１０４ｂの部分を両面テープ１０５の粘着面に貼り付けることにより、自立袋１００には、図１の紙面と垂直な方向及び長さ方向Ａにそれぞれある程度の長さを有する底面部１０６が形成されることとなり、この底面部１０６を下にして自立袋１００をテーブルその他の面の上に置くことにより、自立袋１００は自立する。
【００２３】
この後、自立袋１００の折れ線１０４ａ側を破断させることにより、自立袋１００に収納されている食品を取り出すことができる。
【００２４】
以上のように、本実施形態に係る自立袋１００によれば、自立袋１００は自立することかできるため、ユーザーは、自立袋１００を立たせておいて、片手で自立袋１００の中の食品を取り出すことが可能であり、両手を使う必要がなくなる。
【００２５】
このため、例えば、ユーザーが車を運転しているときには、ダッシュボードの上に自立袋１００を自立させることにより、ユーザーは車を運転しながら、自立袋１００の中の食品を片手で取って食べることができる。
【００２６】
本実施形態に係る自立袋１００は上記の構造に限定されるものではなく、種々の改変が可能である。
【００２７】
本実施形態に係る自立袋１００においては、両面テープ１０５を図１に示す位置に取り付けたが、両面テープ１０５の取り付け位置は図１に示す位置には限定されない。両面テープ１０５を介して前面１０１の一部同士を相互に貼り付けることにより底面部１０６を形成することができるような位置であれば、任意の位置に両面テープ１０５を取り付けることができる。
【００２８】
また、本実施形態に係る自立袋１００においては、前面１０１に両面テープ１０５を取り付けたが、背面に両面テープ１０５を取り付けることもできる。あるいは、前面１０１と背面の双方に両面テープ１０５を取り付けることができる。
【００２９】
（第二の実施形態）
図３は本考案の第二の実施形態に係る自立袋２００の平面図である。
【００３０】
第一の実施形態に係る自立袋１００においては、１個の両面テープ１０５を用いたが、両面テープ１０５の個数は１個には限定されない。２個以上の両面テープ１０５を用いることができる。
【００３１】
その一例として、第二の実施形態に係る自立袋２００においては、２個の両面テープ１０５を用いる。
【００３２】
図３に示す第二の実施形態に係る自立袋２００は、図１に示した第一の実施形態に係る自立袋１００と比較して、両面テープ１０５の個数及び取り付け位置が異なっている。
【００３３】
すなわち、第二の実施形態に係る自立袋２００においては、図３に示すように、自立袋２００の幅方向Ｂの中央よりも下方であって、長さ方向Ａの両端の各々の付近に両面テープ１０５が取り付けられている。
【００３４】
図４は本考案の第二の実施形態に係る自立袋２００の使用状態を示す斜視図である。
【００３５】
使用時には、まず、両面テープ１０５上の剥離紙を剥がし、両面テープ１０５の粘着面を露出させる。
【００３６】
次いで、自立袋２００の左右両端の圧着領域１０２を折り曲げ、両面テープ１０５の粘着面に貼り付ける。図４はこの状態を示している。
【００３７】
このように、折り曲げた圧着領域１０２を両面テープ１０５の粘着面に貼り付けることにより、自立袋２００には、折り曲げられた圧着領域１０２と折れ線１０４ｂとによって底面部２０６が形成されることとなり、この底面部２０６を下にして自立袋２００をテーブルその他の面の上に置くことにより、自立袋２００は自立する。
【００３８】
この後、自立袋２００の折れ線１０４ａ側を破断させることにより、自立袋２００に収納されている食品を取り出すことができる。
【００３９】
以上のように、本実施形態に係る自立袋２００によれば、第一の実施形態に係る自立袋１００と同様に、自立袋２００は自立することかできるため、ユーザーは、自立袋２００を立たせておいて、片手で自立袋２００の中の食品を取り出すことが可能であり、両手を使う必要がなくなる。
【００４０】
（第三の実施形態）
図５は本考案の第三の実施形態に係る自立袋３００の平面図である。
【００４１】
図５に示す第三の実施形態に係る自立袋３００は、第二の実施形態に係る自立袋２００と同様に、２個の両面テープ１０５を用いるが、第二の実施形態に係る自立袋２００と比較して、２個の両面テープ１０５のうちの一方の両面テープ１０５の取り付け位置が異なっている。
【００４２】
すなわち、２個の両面テープ１０５のうちの一方の両面テープ１０５ａは背面に取り付けられる。
【００４３】
従って、第二の実施形態に係る自立袋２００においては、二つの圧着領域１０２は同じ側に、すなわち、前面側に折り曲げていたが、本実施形態に係る自立袋３００においては、図６に示すように、一方の圧着領域１０２（図５の左側の圧着領域１０２）は前面側に折り曲げ、他方の圧着領域１０２（図５の右側の圧着領域１０２）は背面側に折り曲げ、それぞれ両面テープ１０５の粘着面に貼り付けられる。これにより、第二の実施形態における底面部２０６と同様に、底面部３０６が形成される。
【００４４】
このように、本実施形態に係る自立袋３００によっても、第二の実施形態に係る自立袋２００と同様の効果を得ることができる。
【００４５】
（第四の実施形態）
図７は本考案の第四の実施形態に係る自立袋４００の斜視図である。
【００４６】
本実施形態に係る自立袋４００は、第一の実施形態に係る自立袋１００と比較して、前面及び背面に加えて、前面と背面とを接続する一対の側面４０１をさらに有している。
【００４７】
本実施形態に係る自立袋４００においては、双方の側面４０１のほぼ中央に両面テープ１０５が取り付けられている。
【００４８】
図８は本考案の第四の実施形態に係る自立袋１００の使用状態を示す平面図である。
【００４９】
使用時には、まず、両面テープ１０５上の剥離紙を剥がし、両面テープ１０５の粘着面を露出させる。
【００５０】
次いで、自立袋４００の双方の側面４０１の下端４０１ａを上方に引き上げ、両面テープ１０５の粘着面に貼り付ける。図８はこの状態を示している。
【００５１】
このように、側面４０１の下端４０１ａを両面テープ１０５の粘着面に貼り付けることにより、自立袋４００には、図８の紙面と垂直な方向及び幅方向Ｂにそれぞれある程度の長さを有する底面部４０６が形成されることとなり、この底面部４０６を下にして自立袋４００をテーブルその他の面の上に置くことにより、自立袋４００は自立する。
【００５２】
この後、自立袋４００の上端側を破断させることにより、自立袋４００に収納されている食品を取り出すことができる。
【００５３】
以上のように、本実施形態に係る自立袋４００によっても、上記の第一乃至第三の実施形態に係る自立袋１００、２００、３００と同様の効果を得ることができる。
【００５４】
なお、本実施形態においては、一対の側面４０１の双方において、側面４０１の下端４０１ａを両面テープ１０５に貼り付けたが、必要に応じて、一対の側面４０１の何れか一方にのみ両面テープ１０５を取り付け、その側面４０１の下端４０１ａのみを両面テープ１０５に貼り付けることもできる。
【００５５】
また、側面４０１のほぼ中央に両面テープ１０５を取り付けることに代えて、図７に破線で示すように、側面４０１の下端または上端の付近に両面テープ１０５を取り付けても、同様の効果を得ることができる。
【図面の簡単な説明】
【００５６】
【図１】本考案の第一の実施形態に係る自立袋の平面図である。
【図２】本考案の第一の実施形態に係る自立袋の使用状態を示す平面図である。
【図３】本考案の第二の実施形態に係る自立袋の平面図である。
【図４】本考案の第二の実施形態に係る自立袋の使用状態を示す斜視図である。
【図５】本考案の第三の実施形態に係る自立袋の平面図である。
【図６】本考案の第三の実施形態に係る自立袋の使用状態を示す斜視図である。
【図７】本考案の第四の実施形態に係る自立袋の斜視図である。
【図８】本考案の第四の実施形態に係る自立袋の使用状態を示す斜視図である。
【符号の説明】
【００５７】
１００  第一の実施形態に係る自立袋
１０１  前面
１０２  圧着領域
１０３  フィルムの両端
１０４ａ、１０４ｂ  折れ線
１０５  両面テープ
１０６  底面部
２００  第二の実施形態に係る自立袋
２０６  底面部
３００  第三の実施形態に係る自立袋
３０６  底面部
４００  第四の実施形態に係る自立袋
４０１  側面
４０１ａ  側面の下端
４０６  底面部
【図１】
0003119780.tif 000003
【図２】
0003119780.tif 000004
【図３】
0003119780.tif 000005
【図４】
0003119780.tif 000006
【図５】
0003119780.tif 000007
【図６】
0003119780.tif 000008
【図７】
0003119780.tif 000009
【図８】
0003119780.tif 000010